(57)【要約】      （修正有）【課題】再利用可能で、装着感に優れたフェイスシールドを提供する。【解決手段】透明で可撓性を有し、顔面を覆うように設置されるシールド本体１０と、シールド本体を取り付け可能な、長尺状で可撓性のある頭部装着部材２０とを具備し、使用者の頭部に設置して、使用者の顔面を防護するためのフェイスシールド１であって、頭部装着部材は、一つの本体からなり、少なくとも、該本体における頭部装着部材を使用者に装着した際に前頭部に位置する中央部が吸水性のある素材により形成されている。吸水性のある素材が、吸水性のある繊維からなる織布又は不織布である。【選択図】図１
0003227769.tif 000002
【実用新案登録請求の範囲】
【請求項１】
透明で可撓性を有し、顔面を覆うように設置されるシールド本体と、
上記シールド本体を取り付け可能な、長尺状で可撓性のある頭部装着部材とを具備し、
使用者の頭部に設置して、使用者の顔面を防護するためのフェイスシールドであって、
上記頭部装着部材は、一つの本体からなり、少なくとも、該本体における上記頭部装着部材を使用者に装着した際に前頭部に位置する中央部が保水性のある素材により形成されている
フェイスシールド。
【請求項２】
上記保水性のある素材が、繊維からなる織布又は不織布である
請求項１記載のフェイスシールド。
【請求項３】
上記シールド本体は、上方左右両端に外方に向けて突出した延出部が設けられており、該延出部には、それぞれ上記頭部装着部材を挿通させる挿通穴が間隔をあけて２つずつ設けられている請求項１記載のフェイスシールド。
【請求項４】
上記シールド本体は、上方左右両端に外方に向けて突出した延出部が設けられており、該延出部に舌片が設けられており、
使用においては、舌片と舌片以外の延出部とで上記頭部装着部材を挟持して、シールド本体を頭部装着部材に取り付けることができるように構成されている
請求項１記載のフェイスシールド。
【請求項５】
上記シールド本体は、上方左右両端に外方に向けて突出した延出部が設けられており、該延出部には挿通穴が一つのみ設けられており、
上記頭部装着部材は、その側端に左右一対の切り込みが設けられており、
使用時においては、上記切り込みを上記挿通穴に位置させて、上記切り込みにより延出部の上端側を挟持させることにより、シールド本体を頭部装着部材に取り付けることができるように構成されている  
請求項１記載のフェイスシールド。
【考案の詳細な説明】
【技術分野】
【０００１】
本考案は、顔面を各種の飛沫から保護するフェイスシールドに関するものである。
【背景技術】
【０００２】
感染症対策、各種作業時の顔面保護等の用途でいわゆるフェイスシールドが用いられている。
従来提案されているフェイスシールドは、帽子又はヘルメットにシールド本体を装着するタイプ、メガネ（ゴーグル）又はマスクを介してシールド本体を装着するタイプ、もしくは頭部に巻回した装着部材にシールド本体を装着するタイプ、がある。
例えば、特許文献１には、人の頭部に固定して使用する顔面保護シールドとして、頭部周囲に装着するための装着バンドと、頭部装着時に顔面を覆うように、装着バンドの長さの一部に亘って取り付けられた透明または半透明の可撓性シールド部材と、頭部装着時に前頭部に接するように装着バンドの内側に連結される帯状の間隔部材であって、その長さ方向に亘って装着バンドとの間に隙間を生じるように、その両端部のみが装着バンドの内側に連結され、それによって装着バンドと協働して可撓性シールド部材を顔面の左右方向に湾曲した状態で顔面から離間して支持する間隔部材とを有する顔面保護シールドが提案されている。
また、特許文献２には、作業者の鼻と両耳に架け渡して顔面に装着する固定具と、該固定具の外側に取り付けられて顔面を覆うシールドと、該シールドの下端部に保持されてシールドの下端と顔面との相互間に生じる隙間を覆う受け部材と、を備えているフェイスシールドが提案されている。
特許文献３には、首と顔面を保護するために、湾曲体と、湾曲体の外面に取り付けられる複数の係止体と、係止体に支持されると共に、係止させて湾曲状に保持される透明性を有する面材とを備えたフェイスシールドが提案されている。この提案では、当該係止体は湾曲体を含む面内で交叉する方向に面材に係止することがある。また、面材が下端部で係止体に支持されていることもある。
特許文献４には、頭部に装着する本体フレームと、本体フレームの外側に配置され、装着者の顔面を保護するシールドを保持するシールドフレームとを具備し、本体フレームは、前頭部から両側後頭部まで延びるブリッジアームと、ブリッジアームの両端部に設けた後頭部を支持する第１支持部と、ブリッジアームの側頭部対応部分から前頭部方向に分岐し、ブリッジアームの内側に配置した一対のヘッドアームと、ヘッドアームの先端部に設けた前頭部を支持する第２支持部とを具備し、ブリッジアームの前頭部対応部分が前頭部から離間して配置され、第１支持部の後頭部への押圧力を調整する第１押圧力調整部となり、ヘッドアームが、第２支持部の前頭部への押圧力を調整する第２押圧力調整部になるフェイスシールドが提案されている。
【先行技術文献】
【特許文献】
【０００３】
【特許文献１】特開2005-287561号公報
【特許文献２】特開2006-57202号公報
【特許文献３】特開2009-189543号公報
【特許文献４】特開2018-158119号公報
【考案の概要】
【考案が解決しようとする課題】
【０００４】
しかしながら上述の提案にかかるフェイスシールドは、使い捨てが前提のものが多く、再利用可能なものが求められている。また、いずれのフェイスシールドも装着感に劣るという問題があった。
【０００５】
したがって、本考案の目的は、再利用可能で、装着感に優れたフェイスシールドを提供することにある。
【課題を解決するための手段】
【０００６】
本考案者らは、上記課題を解消すべく鋭意検討した結果、再利用可能とするには頭部に装着する部材とシールド部材とを分離することが必要であることを知見した。また、装着感の改善のためには、メガネ又はマスクを用いて固定すると不安定であり、頭部にしっかりと固定できるようにすることが必要であることを知見すると共に、頭部に当接する部材の肌触りと汗などの水分を保持できるかが重要であることを知見し、かかる知見に基づいて本考案を完成するに至った。
すなわち、本考案は以下の各考案を提供するものである。
１．透明で可撓性を有し、顔面を覆うように設置されるシールド本体と、上記シールド本体を取り付け可能な、長尺状で可撓性のある頭部装着部材とを具備し、使用者の頭部に設置して、使用者の顔面を防護するためのフェイスシールドであって、上記頭部装着部材は、一つの本体からなり、少なくとも、該本体における上記頭部装着部材を使用者に装着した際に前頭部に位置する中央部が保水性のある素材により形成されているフェイスシールド。
２．上記保水性のある素材が、保水性のある繊維からなる織布又は不織布である１記載のフェイスシールド。
３．上記シールド本体は、上方左右両端に外方に向けて突出した延出部が設けられており、該延出部には、それぞれ上記頭部装着部材を挿通させる挿通穴が間隔をあけて２つずつ設けられている１のフェイスシールド。
４．上記シールド本体は、上方左右両端に外方に向けて突出した延出部が設けられており、該延出部に舌片が設けられており、使用においては、舌片と舌片以外の延出部とで上記頭部装着部材を挟持して、シールド本体を頭部装着部材に取り付けることができるように構成されている１記載のフェイスシールド。
５．上記シールド本体は、上方左右両端に外方に向けて突出した延出部が設けられており、該延出部には挿通穴が一つのみ設けられており、上記頭部装着部材は、その側端に左右一対の切り込みが設けられており、使用時においては、上記切り込みを上記挿通穴に位置させて、上記切り込みにより延出部の上端側を挟持させることにより、シールド本体を頭部装着部材に取り付けることができるように構成されている  １記載のフェイスシールド。
【考案の効果】
【０００７】
本考案のフェイスシールドは、再利用可能で、装着感に優れたものである。
【図面の簡単な説明】
【０００８】
【図１】図１は、本考案のフェイスシールドの使用態様を示す斜視図である。
【図２】図２は、図１に示すフェイスシールドにおけるシールド本体を示す平面図である。
【図３】図３は、図１に示すフェイスシールドにおける頭部装着部材の斜視図である。
【図４】図４は、他の実施形態のフェイスシールドにおけるシールド本体を示す平面図である。
【図５】図５は、他の実施形態のフェイスシールドにおけるシールド本体の延出部及び頭部装着部材の要部を示す斜視図である。
【図６】図６は、他の実施形態のフェイスシールドの使用態様を示す斜視図である。
【符号の説明】
【０００９】
１：フェイスシールド、１０：シールド本体、１１：延出部、１３：挿通穴、２０：頭部装着部材、２１：本体
【考案を実施するための形態】
【００１０】
以下、本考案をさらに詳細に説明する。
〔第1の実施形態〕
本実施形態のフェイスシールド１は、透明で可撓性を有し、顔面を覆うように設置されるシールド本体１０と、シールド本体１０を取り付け可能な、長尺状の頭部装着部材２０とを具備し、使用者の頭部Ａに設置して、使用者の顔面を防護するためのものである。
【００１１】
〔シールド本体〕
シールド本体１０は、図1及び２に示すように、ほぼ長方形状であり、上方（図１に示すように装着時に頭部の上方に位置する部位）における左右両端に外方に向けて突出した四角形状の延出部１１，１１が設けられている。この延出部１１，１１には、それぞれ頭部装着部材２０を挿通させる長方形状の挿通穴１３，１３が間隔をあけて２つずつ設けられている。また、シールド本体の下方の左右両角は扇状になっている。
シールド本体１０は、透明で可撓性のある材料であれば、特に制限なく採用することができるが、好ましくは、アクリル板、ポリエチレンテレフタレート板、ポリカーボネイト板等を用いて形成することができる。
【００１２】
〔頭部装着部材〕
頭部装着部材２０は、図１及び３に示すように、一つのテープ状の本体２１からなる。り、本体２１の両端に各々を締結可能な締結部２３ａ，２３ｂが設けられている。本実施形態において締結部２３ａは機械的ファスナーの雄部材が多数配された雄部材シートを、本体を構成するテープ状の部材に貼り付けて形成されている。また締結部２３ｂは機械的ファスナーの雌部材が多数配された雌部材シートを、本体を構成するテープ状の部材に貼り付けて形成されている。なお、本実施形態においては、締結部２３ａは本体２１の一面に、締結部２３ｂは本体２１の他面に設けられている。
本体２１は、テープ状であるが、本実施形態においては、その厚みは部位によって変えてある。すなわち、装着時に前頭部に位置する中央部２１ａは厚みが厚くなっており、側頭部から後頭部に位置する側部２１ｂ，２１ｂは薄くなっている。中央部２１ａの厚みは好ましくは１〜３ｃｍであり、側部２１ｂの厚みは好ましくは１〜５ｍｍである。
頭部装着部材２０は、可撓性がある材料であれば特に制限なく用いて形成することができるが、中央部２１ａには、可撓性があり且つ保水性のある材料を用いる。この際用いることができる材料としては、繊維からなる織布又は不織布を好ましく挙げることができる。具体的には、綿、麻、レーヨン、キュプラ、アセテート、ナイロン、ポリエステル、ポリウレタン等の繊維を用いて形成された織布又は不織布、ポリエチレン又はポリプロピレンの短繊維を用いた不織布等を挙げることができる。このように、綿、麻、レーヨン、キュプラ、アセテート等の吸水性を有する繊維からなる織布又は不織布の他、ナイロン、ポリエステル、ポリウレタン、ポリエチレン又はポリプロピレンなどのように吸水性に乏しくとも織布又は不織布とすることにより繊維間に水分を保持する能力が発揮されるものであれば、本考案において用いることができる。また、側部２１ｂは、中央部２１ａと同じ材料を用いて形成することができる他、薄いプラスチック板、ウレタンシート等を用いて形成することができる。
本実施形態においては、中央部２１ａと側部２１ｂは、同じ素材により形成されており、側部２１ｂは布を２〜３枚重ねて形成されており、中央部２１ａは上述の厚みとなるように１０〜２０枚重ねて形成されている。
また、中央部２１aと側部２１ｂとは、それらの厚みを変えることなく、同じ厚みとしてもよい。この場合には、中央部２１aの厚みを側部２１bと同様に薄くするのが、装着性の観点から好ましい。したがって、本体全体を上述の保水性のある材料（繊維からなる織布又は不織布）を２〜３回折り重ねて、布が２〜３枚重ねられた形態として本実施形態の本体を形成することができる。また、この場合には、装着時にシールド本体１０が装着者の前頭部から１〜３ｃｍ程度離隔して位置するように、シールド本体１０を撓ませる（シールド本体の幅を頭部装着部材２０に装着した箇所の長さよりも長くする）。
【００１３】
〔使用態様、作用効果〕
本実施形態のフェイスシールド１は、図1に示すようにして使用することができる。
すなわち、シールド本体１０において使用時に内側となる側に頭部装着部材２０の中央部２１ａを位置させ、両側部２１ｂを内方側（シールド本体の中央側）の挿通穴１３を内側から外側に向けて通した後外方側の挿通穴１３を外側から内側に向けて通して、シールド本体１０を頭部装着部材２０に装着する。
ついで、頭部装着部材２０を図１に示すように頭部に装着し、最終に締結部２３ａ，２３ｂを貼り合わせて頭部装着部材２０を固定することにより、フェイスシールド１を頭部に装着して使用に供することができる。
本実施形態のフェイスシールド１は、可撓性のある材料により頭部装着部材２０が構成されているので装着感に優れる。また、中央部２１ａが保水性のある材料により構成されているので、使用中に汗で頭部装着部材２０がずれることがなく、汗が目に垂れてくることもなく、快適に使用することができる。また、頭部装着部材２０とシールド本体１０とを簡単に分離することができるので、頭部装着部材２０を洗浄し、シールド本体１０をアルコール消毒するなどして、両者ともに再利用することができる。
【００１４】
以下に、本考案のフェイスシールドの他の実施形態について説明する。
以下の説明においては、上述の実施形態のフェイスシールドを異なる部分を特に詳述する。特に説明しない部分については、上述の実施形態と同様に構成されているので、上述の実施形態における説明がそのまま当てはまる。
〔第２の実施形態〕
本実施形態のフェイスシールド１０１は、図４に示すように、頭部装着部材１２０は、上述の第１の実施形態と同様に構成されているが、シールド本体１１０の構成が異なる。すなわち、シールド本体１１０は、延出部１１１，１１１に舌片１１５，１１５が設けられている。
そして、使用においては、舌片１１５，１１５を側部の内側（使用者側に位置する面側）に位置させることで舌片１１５,１１５と舌片以外の延出部１１１，１１１とで側部１２１ｂを挟持して、シールド本体１１０を頭部装着部材１２０に取り付けることができ、使用することができる。
本実施形態のフェイスシールド１０１は、簡単にシールド本体１１０を頭部装着部材１２０に取り付けること及び取り外すことが可能である。また、側部１２１ｂと中央部１２１ａとの厚みの差により生じる隙間の部分に舌片１１５を位置させるので、舌片１１５が使用者に直接触れることがなく、使用感も損なわない。
【００１５】
〔第３の実施形態〕
本実施形態のフェイスシールド２０１は、図５に示すように、シールド本体２１０の延出部２１１における挿通穴２１３が一つのみとされており、頭部装着部材２２０において左右両側の所定の位置に切り込み２２３が、本体の側端に設けられている。この構造は左右両側に同様である。そして、使用時においては、切り込み２２３を挿通穴２１３に位置させ、矢印方向に押上げて、延出部２１１の上端側を挟持する。これにより挿通穴２１３が一つだけでもしっかりとシールド本体を取り付けることが可能となる。切り込みの深さは、挿通穴２１３の上方の延出部２１１の幅に応じて任意であるが、５ｍｍ〜１ｃｍ程度とするのが好ましい。  
特に図示しないが、中央部が厚みのある場合には中央部の近傍に切り込み２２３を設けるのが好ましい。中央部の厚みと側部の厚みとが同じ場合には、左右両側の切込み２２３間の長さを、シールド本体２１０における左右両側の挿通穴２１３間の長さよりも短くして、シールド本体２１０が使用時に使用者の前頭部から離隔するように構成するのが好ましい。
【００１６】
〔第４の実施形態〕
本実施形態のフェイスシールド３０１は、第１の実施形態とシールド本体３１０と頭部装着部材３２０との取り付け形態が異なっている。すなわち、シールド本体３１０と頭部装着部材３２０とは固定部３３０により、固着されている。固着は、公知の固着手段、例えば、溶着、接着、ビス止めなどにより実施可能である。
特に図示しないが、中央部が厚みのある場合には中央部の近傍に固定部３３０を設けるのが好ましい。中央部の厚みと側部の厚みとが同じ場合には、固定部３３０間の頭部装着部材３２０の長さを、固定部３３０間のシールド本体３１０の長さよりも短くして、シールド本体２１０が使用時に使用者の前頭部から離隔するように構成するのが好ましい。
【００１７】
なお、本考案は上述の実施形態に何ら制限されるものではなく、本考案の趣旨を逸脱しない範囲で種々変更可能である。
例えば、第１の実施形態において、頭部装着部材は中央部と側部とが同じ材料により形成された例を持って説明したが、両者を異なる材料により形成することもできる。また、中央部や側部を２種以上の材料を組み合わせて構成することもできる。例えば、外側に位置する面は使用者以外の人から視認される面なので、見栄えの良いポリエステル等を用いて構成し、使用者の肌に当接する面を綿素材などの肌触りと保水性とを両立する素材により構成することもできる。また、中央部については、外側に位置する面と使用者の肌に当接する面との間に特に吸水性に優れるパイル生地等を挟持させてもよい。
また、締結部材は、機械的ファスナーではなく、公知の留め具を特に制限なく採用して構成することができる。
また、第３の実施形態において切り込みは、上側でなく下側に設けても良い。
【図１】
0003227769.tif 000003
【図２】
0003227769.tif 000004
【図３】
0003227769.tif 000005
【図４】
0003227769.tif 000006
【図５】
0003227769.tif 000007
【図６】
0003227769.tif 000008